(57)【要約】【課題】本発明は、ＦＦＲを運用する広帯域無線通信システムにおけるマップのサイズ推定方法を提供すること。【解決手段】複数の接続から所定の優先順位によって一つの接続を選択する過程と、選択された接続を行うゾーンにバーストを割り当てる資源が存在すると、選択された接続のために資源を割り当てる場合のマップのサイズ及び剰余資源の現況を計算する過程と、剰余資源が存在すると、所定の優先順位によって次の接続を選択する過程と、剰余資源が存在しないと、マップのサイズをマップのサイズの最終推定値と決定する過程と、を含む。【選択図】図１
2010187378.tif 000002
【特許請求の範囲】
【請求項１】
ＦＦＲを運用し、基地局と複数の端末装置との間で複数の接続を行う広帯域無線通信システムにおけるマップのサイズ推定方法であって、
前記複数の接続から所定の優先順位によって一つの接続を選択する過程と、
前記選択された接続を行うゾーンにバーストを割り当てる資源が存在すると、前記選択された接続のために資源を割り当てる場合のマップのサイズ及び剰余資源の現況を計算する過程と、
前記剰余資源が存在すると、前記所定の優先順位によって次の接続を選択する過程と、
前記剰余資源が存在しないと、前記マップのサイズをマップのサイズの最終推定値と決定する過程と、
を含むことを特徴とする方法。
【請求項２】
前記選択された接続を行うゾーンにバーストを割り当てる資源が存在しないと、前記選択された接続のために資源を割り当てない場合のマップのサイズを前記最終推定値と決定する過程をさらに含むことを特徴とする請求項１に記載の方法。
【請求項３】
前記選択された接続を行うゾーンにバーストを割り当てる資源が存在しないと、前記選択された接続を行わないゾーンにバーストを割り当てる資源が存在するか否かを確認する過程と、
前記選択された接続を行わないゾーンにバーストを割り当てる資源が存在すると、前記選択された接続を行うゾーンを、前記選択された接続を行わないゾーンにスイッチングする過程と、
前記選択された接続のサービスタイプ及びＭＣＳレベルを調節する過程と、をさらに含むことを特徴とする請求項１に記載の方法。
【請求項４】
前記マップのサイズ及び前記剰余資源の現況を計算する過程は、
前記選択された接続を行う領域の総スロット個数を計算する過程と、
前記選択された接続を行う領域に対するダウンリンクマップＩＥ及びダウンリンクサブバーストＩＥのうち、一つの個数を更新する過程と、
前記マップの副チャネル個数、前記マップのシンボル個数及びデータシンボル個数を計算する過程と、
非分割ゾーン及び分割ゾーンのそれぞれのデータシンボル個数及び割り当て可能な最大スロット数を計算する過程と、
前記非分割ゾーン及び前記分割ゾーンの総スロット数を計算する過程と、を含むことを特徴とする請求項１に記載の方法。
【請求項５】
前記剰余資源が存在すると、前記所定の優先順位によって次の接続を選択する過程は、
前記分割ゾーンに割り当てる総スロット数が前記分割ゾーンに割り当て可能な最大スロット数より小さいか、又は前記非分割ゾーンに割り当てる総スロット数が前記非分割ゾーンに割り当て可能な最大スロット数より小さい場合、前記剰余資源が存在すると判断する過程を含むことを特徴とする請求項４に記載の方法。
【請求項６】
前記剰余資源が存在しないと、前記マップのサイズをマップのサイズの最終推定値と決定する過程は、
前記分割ゾーンに割り当てる総スロット数が前記分割ゾーンに割り当て可能な最大スロット数より大きいか又は同じであり、同時に、前記非分割ゾーンに割り当てる総スロット数が前記非分割ゾーンに割り当て可能な最大スロット数より大きいか又は同じである場合、前記剰余資源が存在しないと判断する過程を含むことを特徴とする請求項４に記載の方法。
【請求項７】
ＦＦＲを運用し、複数の端末装置との間で複数の接続を行う広帯域無線通信システムにおける基地局装置であって、
前記複数の接続から所定の優先順位によって一つの接続を選択する選択器と、
前記選択された接続を行うゾーンにバーストを割り当てる資源が存在すると、前記選択された接続のために資源を割り当てる場合のマップのサイズ及び剰余資源の現況を計算する計算器と、
前記剰余資源が存在しないと、前記マップのサイズをマップのサイズの最終推定値と決定する判断器と、
を備え、
前記選択器は、前記剰余資源が存在すると、前記所定の優先順位によって次の接続を選択することを特徴とする装置。
【請求項８】
前記判断器は、前記選択された接続を行うゾーンにバーストを割り当てる資源が存在しないと、前記選択された接続のために資源を割り当てない場合のマップのサイズを前記最終推定値と決定することを特徴とする請求項７に記載の装置。
【請求項９】
前記選択された接続を行うゾーンにバーストを割り当てる資源が存在しなく、前記選択された接続を行なわないゾーンにバーストを割り当てる資源が存在すると、前記選択された接続を行うゾーンを、前記選択された接続を行わないゾーンにスイッチングし、前記選択された接続のサービスタイプ及びＭＣＳレベルを調節する管理器をさらに備えることを特徴とする請求項７に記載の装置。
【請求項１０】
前記計算器は、前記選択された接続を行う領域の総スロット個数を計算し、前記選択された接続を行う領域に対するダウンリンクマップＩＥ及びダウンリンクサブバーストＩＥのうち、一つの個数を更新し、前記マップの副チャネル個数、前記マップのシンボル個数及びデータシンボル個数を計算し、非分割ゾーン及び分割ゾーンのそれぞれのデータシンボル個数及び割り当て可能な最大スロット数を計算した後、前記非分割ゾーン及び前記分割ゾーンの総スロット数を計算することを特徴とする請求項７に記載の装置。
【請求項１１】
前記判断器は、前記分割ゾーンに割り当てる総スロット数が前記分割ゾーンに割り当て可能な最大スロット数より小さいか、又は前記非分割ゾーンに割り当てる総スロット数が前記非分割ゾーンに割り当て可能な最大スロット数より小さい場合、前記剰余資源が存在すると判断することを特徴とする請求項１０に記載の装置。
【請求項１２】
前記判断器は、前記分割ゾーンに割り当てる総スロット数が前記分割ゾーンに割り当て可能な最大スロット数より大きいか又は同じであり、同時に、前記非分割ゾーンに割り当てる総スロット数が前記非分割ゾーンに割り当て可能な最大スロット数より大きいか又は同じである場合、前記剰余資源が存在しないと判断することを特徴とする請求項１０に記載の装置。
【発明の詳細な説明】
【技術分野】
【０００１】
本発明は、広帯域無線通信システムに関し、特に、広帯域無線通信システムにおける資源割り当て情報を送信するためのマップのサイズを推定するための装置及び方法に関する。
【背景技術】
【０００２】
次世代通信システムである第４世代通信システムは、約１００Ｍｂｐｓの送信速度を有する多様なサービス品質のサービスをユーザに提供しようとする。特に、現在４Ｇ通信システムは、無線近距離通信ネットワークシステム及び無線メトロポリタンエリアネットワークシステムのような広帯域無線アクセス通信システムに移動性とサービス品質とを保障する形態に進化しており、その代表的な通信システムがＩＥＥＥ  ８０２．１６基盤の通信システムである。
【０００３】
ＩＥＥＥ  ８０２．１６基盤の広帯域無線通信システムは、広帯域送信のためにＯＦＤＭＡ方式を使用する。ＯＦＤＭＡ方式は、複数の直交する副搬送波を利用してデータを送信する方式であって、周波数使用効率が良く多重経路フェージングに強いので、高速データの送信の際、高い送信効率を得ることができる。一般に、広帯域無線通信システムは、直交性を有する全体副搬送波をグループ化して副チャネルを構成する。また、広帯域無線通信システムは、フレームを単位に通信を行う。基地局は、フレーム内に割り当てられるデータバーストに対する割り当て情報を、マップメッセージを介して送信し、端末は、マップメッセージを読み取ることによって、バースト割り当て状態を確認することができる。
【０００４】
一方、広帯域無線通信システムは、周波数再使用パターンとして「１」又は「Ｎ（＞１）」を使用することができる。周波数再使用パターンが１である場合、すべてのセルが全体副チャネルを使用するので、周波数効率は上げることができるが、端末がセル境界にある場合、隣接セル間の同一チャネル干渉により端末の受信性能が低下するという問題がある。これに対し、周波数再使用パターンが２以上であると、隣接セルが互いに異なる副チャネルを使用することができるので、端末の受信性能を改善することができるが、周波数効率は低くなる。そのため、受信環境の良い端末に対しては、周波数効率を上げることができるように周波数再使用パターン１を適用することが必要であり、セル境界に位置した端末に対しては、周波数再使用パターンＮを適用することによって隣接セル間の干渉を減らすことが必要である。すなわち、端末の受信環境によって周波数再使用パターンを動的に適用できる方案が必要である。
【０００５】
また、基地局は、ダウンリンクフレームのダウンリンクマップ領域に、端末のダウンリンクデータバースト割り当て情報を明示する。データバーストは、複数の時間スロットを占有して、ダウンリンクデータ区間に割り当てられる。広帯域無線アクセス通信システム標準、すなわち、ＩＥＥＥ  ８０２．１６スペックによれば、基地局が、ダウンリンク資源の割り当て時に固定されたサイズを有するマップ領域に資源割り当て情報を記録するようになっている。換言すれば、基地局は、固定された数のダウンリンクマップＩＥを使用して、データバースト割り当て領域のサイズ及び割り当てるデータバーストの個数を決定するので、資源活用度及び効率性が落ちるようになる。
【先行技術文献】
【特許文献】
【０００６】
【特許文献１】韓国公開特許第１０−２００８−００７８３６０号
【発明の概要】
【発明が解決しようとする課題】
【０００７】
そこで、本発明の目的は、広帯域無線通信システムにおけるＦＦＲ（Ｆｒａｃｔｉｏｎ  Ｆｒｅｑｕｅｎｃｙ  Ｒｅｕｓｅ）の運用時にマップのサイズを推定するための装置及び方法を提供することにある。
【０００８】
本発明の他の目的は、広帯域無線通信システムにおいて、分割ｎｏｎ−ＨＡＲＱデータバースト、分割ＨＡＲＱデータバースト、非分割ｎｏｎ−ＨＡＲＱデータバースト、非分割ＨＡＲＱデータバーストを一つのフレームに同時に割り当てる際、マップのサイズ及びデータバーストの個数を予測するための装置及び方法を提供することにある。
【課題を解決するための手段】
【０００９】
上記の目的を達成すべく、本発明の第１見地によれば、ＦＦＲを運用し、基地局と複数の端末装置との間で複数の接続を行う広帯域無線通信システムにおけるマップのサイズ推定方法は、前記複数の接続間から所定の優先順位によって一つの接続を選択する過程と、前記選択された接続を行うゾーンにバーストを割り当てる資源が存在すると、前記選択された接続のために資源を割り当てる場合のマップのサイズ及び剰余資源現況を計算する過程と、前記剰余資源が存在すると、前記所定の優先順位によって次の接続を選択する過程と、前記剰余資源が存在しないと、前記マップのサイズをマップのサイズの最終推定値と決定する過程とを含むことを特徴とする。
【００１０】
上記の目的を達成すべく、本発明の第２見地によれば、ＦＦＲを運用し、複数の端末装置との間で複数の接続を行う広帯域無線通信システムにおける基地局装置は、前記複数の接続から所定の優先順位によって一つの接続を選択する選択器と、前記選択された接続を行うゾーンにバーストを割り当てる資源が存在すると、前記選択された接続のために資源を割り当てる場合のマップのサイズ及び剰余資源現況を計算する計算器と、前記剰余資源が存在しないと、前記マップのサイズをマップのサイズの最終推定値と決定する判断器とを備え、前記選択器は、前記剰余資源が存在すると、前記所定の優先順位によって次の接続を選択することを特徴とする。
【図面の簡単な説明】
【００１１】
【図１】本発明の実施の形態による広帯域無線通信システムにおけるＦＦＲの運用時のダウンリンクフレーム構造を示す図である。
【図２Ａ】本発明の実施の形態による広帯域無線通信システムにおけるＦＦＲの運用時のダウンリンクフレーム構造を示す図である。
【図２Ｂ】本発明の実施の形態による広帯域無線通信システムにおけるＦＦＲの運用時のダウンリンクフレーム構造を示す図である。
【図２Ｃ】本発明の実施の形態による広帯域無線通信システムにおけるＦＦＲの運用時のダウンリンクフレーム構造を示す図である。
【図３】本発明の実施の形態による広帯域無線通信システムにおける基地局の資源割り当て手順を示す図である。
【図４】本発明の第１の実施の形態による広帯域無線通信システムにおける基地局のマップのサイズ推定手順を示す図である。
【図５】本発明の第２の実施の形態による広帯域無線通信システムにおける基地局のマップのサイズ推定手順を示す図である。
【図６】本発明の実施の形態による広帯域無線通信システムにおける基地局のブロック構成を示す図である。
【図７】本発明の実施の形態による広帯域無線通信システムにおけるマップ推定器のブロック構成を示す図である。
【発明を実施するための形態】
【００１２】
以下、本発明は、ＦＦＲ（Ｆｒａｃｔｉｏｎ  Ｆｒｅｑｕｅｎｃｙ  Ｒｅｕｓｅ）の運用時におけるマップのサイズを推定するための技術について説明する。以下、本発明は、周波数分割多重／直交周波数分割多重接続方式の無線通信システムを例に挙げて説明し、他の方式の無線通信システムにも同様に適用されることができる。
【００１３】
ダウンリンクフレームは、プリアンブル領域、マップ領域、データバースト割り当て領域に区分される。データバースト割り当て領域は、シンボル軸を基準にＦＲＰ３である分割ゾーン及びＦＲＰ１である非分割ゾーンに区分される。分割ゾーン及び非分割ゾーンは、再度ｎｏｎ−ＨＡＲＱバースト割り当て領域及びＨＡＲＱデータバースト割り当て領域に区分される。また、マップ領域は、割り当てられたデータバーストがデータバースト割り当て領域のどこに位置しているかを表すマップメッセージを送信するために使用される。
【００１４】
図１は、本発明の実施の形態による広帯域無線通信システムにおけるＦＦＲの運用時のダウンリンクフレーム構造を示している。
【００１５】
図１に示すように、ダウンリンクフレームは、プリアンブル領域１０２、マップ領域１０４及びバースト割り当て領域１０６に区分される。プリアンブル領域１０２には、同期獲得のためのプリアンブルが位置し、マップ領域１０４は、端末が共通に受信する放送データ情報を含んだダウンリンクマップ及びアップリンクマップを含む。そして、バースト割り当て領域１０６には、端末に送信されるダウンリンクデータバーストが割り当てられる。ダウンリンクデータバーストの位置と割り当てに関する情報は、マップ領域１０４を介して送信されるダウンリンクマップに含まれる。バースト割り当て領域１０６において、横軸は時間軸であり、シンボルにより区分され、縦軸は、周波数により区分される。
【００１６】
以下、本発明は、データバースト領域にて全体使用サブチャネル及び一部使用サブチャネルを使用する場合、最適の性能効果を表すサブチャネル個数を推定する。
【００１７】
図２Ａ、図２Ｂ及び図２Ｃは、本発明の実施の形態による広帯域無線通信システムにおけるＦＦＲの運用時のダウンリンクフレーム構造を示している。図２Ａ、図２Ｂ及び図２Ｃは、３個のセクターのそれぞれのためのダウンリンクフレーム構造を示している。
【００１８】
図２Ａに示すように、αセクターのダウンリンクフレームは、プリアンブル領域２０２、マップ領域２０４、第１バースト割り当て領域２０６及び第２バースト割り当て領域２０８に区分される。プリアンブル領域２０２には、同期獲得のためのプリアンブルが位置し、マップ領域２０４は、端末が共通に受信する放送データ情報を含んだダウンリンクマップ及びアップリンクマップを含む。そして、第１バースト割り当て領域２０６及び第２バースト割り当て領域２０８には、端末に送信されるダウンリンクデータバーストが割り当てられる。αセクターの場合、分割ゾーンタイプデータバーストは、第１バースト割り当て領域２０６に割り当てられ、非分割ゾーンタイプデータバーストは、第２バースト割り当て領域２０８に割り当てられる。ダウンリンクデータバーストの位置と割り当てに関する情報は、マップ領域２０４を介して送信されるダウンリンクマップに含まれる。
【００１９】
第１バースト割り当て領域２０６及び第２バースト割り当て領域２０８において、横軸は時間軸であって、シンボルにより区分され、縦軸は周波数軸であって、副搬送波により区分される。第１バースト割り当て領域２０６は、分割ゾーンであって、ｎｏｎ−ＨＡＲＱバーストを割り当てる分割＆ｎｏｎ−ＨＡＲＱ領域２１０、及びＨＡＲＱバーストを割り当てる分割＆ＨＡＲＱ領域２１２に区分される。第２バースト割り当て領域２０８は、非分割ゾーンであって、ｎｏｎ−ＨＡＲＱバーストを割り当てる非分割＆ｎｏｎ−ＨＡＲＱ領域２１４、及びＨＡＲＱバーストを割り当てる非分割＆ＨＡＲＱ領域２１６に区分される。図２Ａは、一例として、各バースト割り当て領域２０６、２０８は、２個のサブデータバースト領域、すなわち、ｎｏｎ−ＨＡＲＱ領域２１０、２１４及びＨＡＲＱ領域２１２、２１６に区分される。しかしながら、本発明の実施者の意図によって、各バースト割り当て領域２０６、２０８は、３個以上のサブバースト領域に分割されることができる。
【００２０】
図２Ｂに示すように、βセクターのダウンリンクフレームは、プリアンブル領域２２２、マップ領域２２４、第１バースト割り当て領域２２６及び第２バースト割り当て領域２２８に区分される。プリアンブル領域２２２には、同期獲得のためのプリアンブルが位置し、マップ領域２２４は、端末が共通に受信する放送データ情報を含んだダウンリンクマップ及びアップリンクマップを含む。そして、第１バースト割り当て領域２２６及び第２バースト割り当て領域２２８には、端末に送信されるダウンリンクデータバーストが割り当てられる。βセクターの場合、分割ゾーンタイプデータバーストは、第１バースト割り当て領域２２６に割り当てられ、非分割ゾーンタイプデータバーストは、第２バースト割り当て領域２２８に割り当てられる。ダウンリンクデータバーストの位置と割り当てに関する情報は、マップ領域２２４を介して送信されるダウンリンクマップに含まれる。
【００２１】
第１バースト割り当て領域２２６及び第２バースト割り当て領域２２８において、横軸は時間軸であって、シンボルにより区分され、縦軸は周波数軸であって、副搬送波により区分される。第１バースト割り当て領域２２６は、分割ゾーンであって、ｎｏｎ−ＨＡＲＱバーストを割り当てる分割＆ｎｏｎ−ＨＡＲＱ領域２３０、及びＨＡＲＱバーストを割り当てる分割＆ＨＡＲＱ領域２３２に区分される。第２バースト割り当て領域２２８は、非分割ゾーンであって、ｎｏｎ−ＨＡＲＱバーストを割り当てる非分割＆ｎｏｎ−ＨＡＲＱ領域２３４、及びＨＡＲＱバーストを割り当てる非分割＆ＨＡＲＱ領域２３６に区分される。図２Ｂは、一例として、各バースト割り当て領域２２６、２２８は、２個のサブデータバースト領域、すなわち、ｎｏｎ−ＨＡＲＱ領域２３０、２３４及びＨＡＲＱ領域２３２、２３６に区分される。しかしながら、本発明の実施者の意図によって、各バースト割り当て領域２２６、２２８は、３個以上のサブバースト領域に分割されることができる。
【００２２】
図２Ｃに示すように、γセクターのダウンリンクフレームは、プリアンブル領域２４２、マップ領域２４４、第１バースト割り当て領域２４６及び第２バースト割り当て領域２４８に区分される。プリアンブル領域２４２には、同期獲得のためのプリアンブルが位置し、マップ領域２４４は、端末が共通に受信する放送データ情報を含んだダウンリンクマップ及びアップリンクマップを含む。そして、第１バースト割り当て領域２４６及び第２バースト割り当て領域２４８には、端末に送信されるダウンリンクデータバーストが割り当てられる。γセクターの場合、分割ゾーンタイプデータバーストは、第１バースト割り当て領域２４６に割り当てられ、非分割ゾーンタイプデータバーストは、第２バースト割り当て領域２４８に割り当てられる。ダウンリンクデータバーストの位置と割り当てに関する情報は、マップ領域２４４を介して送信されるダウンリンクマップに含まれる。
【００２３】
第１バースト割り当て領域２４６及び第２バースト割り当て領域２４８において、横軸は時間軸であって、シンボルにより区分され、縦軸は周波数軸であって、副搬送波により区分される。第１バースト割り当て領域２４６は分割ゾーンであって、ｎｏｎ−ＨＡＲＱバーストを割り当てる分割＆ｎｏｎ−ＨＡＲＱ領域２５０、及びＨＡＲＱバーストを割り当てる分割＆ＨＡＲＱ領域２５２に区分される。第２バースト割り当て領域２４８は、非分割ゾーンであって、ｎｏｎ−ＨＡＲＱバーストを割り当てる非分割＆ｎｏｎ−ＨＡＲＱ領域２５４、及びＨＡＲＱバーストを割り当てる非分割＆ＨＡＲＱ領域２５６に区分される。図２Ｃは、一例として、各バースト割り当て領域２４６、２４８は、２個のサブデータバースト領域、すなわち、ｎｏｎ−ＨＡＲＱ領域２５０、２５４及びＨＡＲＱ領域２５２、２５６に区分される。しかしながら、本発明の実施者の意図によって、各バースト割り当て領域２４６、２４８は、３個以上のサブバースト領域に分割されることができる。
【００２４】
図２Ａ、図２Ｂ及び図２Ｃにおいてバースト割り当て領域２０６、２０８、２２６、２２８、２４６、２４８に割り当てられるデータバーストは、整数個のスロットで構成される。このとき、データバーストの割り当ての際、周波数軸及び時間軸を考慮した２次元割り当てが行われる場合、ダウンリンクフレームにおいて浪費されるスロットがあってはならない。ダウンリンクフレームは、周波数軸及び時間軸に区分され、周波数及び時間をすべて考慮した複数のスロットを含む。
【００２５】
図３は、本発明の実施の形態による広帯域無線通信システムにおける基地局の資源割り当て手順を示している。
【００２６】
図３に示すように、基地局は、ステップ３０２にて分割ゾーンの構成を決定する。換言すれば、基地局は、分割ゾーンをＮｏｎ−ＭＩＭＯ、すなわち、ＳＩＳＯ及びＳＩＭＯのうちの一つで運営するか、ＭＩＭＯで運営するか、又はＮｏｎ−ＭＩＭＯ＆ＭＩＭＯで運営するかを決定する。例えば、現在フレームに割り当て可能な候補接続のうち、Ｎｏｎ−ＭＩＭＯサービスタイプを有するＭＡＣ管理メッセージが存在すると、基地局は、分割ゾーンをＮｏｎ−ＭＩＭＯで運営する。これに対し、現在フレームに割り当て可能な候補接続のうち、Ｎｏｎ−ＭＩＭＯサービスタイプを有するＭＡＣ管理メッセージが存在しないと、基地局は、分割ゾーンをＭＩＭＯで運営する。
【００２７】
次に、基地局は、ステップ３０４に進んで、低いＣＩＮＲを有する境界端末（Ｅｄｇｅ  Ｕｓｅｒ）の接続をＦＲＰ−３である分割ゾーンタイプの接続と決定し、高いＣＩＮＲを有する近隣端末（Ｎｅａｒ  Ｕｓｅｒ）の接続をＦＲＰ−１の非分割ゾーンタイプの接続と決定する。例えば、ＦＲＰ−３のＣＩＮＲがＦＲＰ−１のＣＩＮＲの３倍より大きければ、該当接続は、分割ゾーンタイプと決定され、ＦＲＰ−３のＣＩＮＲがＦＲＰ−１のＣＩＮＲの３倍より小さいか同じであると、該当接続は、非分割ゾーンタイプと決定される。このとき、ＣＩＮＲの代わりにＭＰＲが使用されることができる。ここで、ＦＲＰ−３のＣＩＮＲは、ＦＲＰ−３の適用を受ける領域で測定されたＣＩＮＲを意味し、ＦＲＰ−１のＣＩＮＲは、ＦＲＰ−１の適用を受ける領域で測定されたＣＩＮＲを意味する。
【００２８】
以後、基地局は、ステップ３０６に進んで、現在フレームに割り当て可能な候補接続をＮｏｎ−ＭＩＭＯサービスタイプで送信するか、又はＭＩＭＯサービスタイプで送信するかを決定する。例えば、分割ゾーンタイプの接続は、Ｎｏｎ−ＭＩＭＯ又はＭＩＭＯサービスタイプで決定され、非分割ゾーンタイプの接続は、ＭＩＭＯサービスタイプで決定される。
【００２９】
サービスタイプを決定した後、基地局は、ステップ３０８に進んで、現在フレームに割り当て可能な候補接続のＭＣＳレベルを決定する。換言すれば、基地局は、割り当て可能な候補接続の各々に適用する変調方式及び符号化方式を決定する。
【００３０】
ＭＣＳレベルを決定した後、基地局は、ステップ３１０に進んで、各サービスクラス別に送信するデータバーストに対する接続別優先順位を決定するキュースケジューリングを行う。
【００３１】
キュースケジューリングを行った後、基地局は、ステップ３１２に進んで、送信するデータバーストを割り当てる領域を決定する。ここで、送信するデータバーストを割り当てる領域は、分割＆ｎｏｎ−ＨＡＲＱ領域、分割＆ＨＡＲＱ領域、非分割＆ｎｏｎ−ＨＡＲＱ領域及び非分割＆ＨＡＲＱ領域に区分される。
【００３２】
領域を決定した後、基地局は、ステップ３１４に進んで、送信されるデータバーストの資源割り当て情報を送信するために必要なマップオーバーヘッドを推定する。ここで、マップのサイズは、送信されるデータバーストが多い場合、大きく設定されなければならない。しかしながら、マップのサイズが大きく設定されると、データバースト領域の大きさは減る。したがって、マップのサイズ及びデータバースト領域の大きさは、トレードオフで適宜に決定されなければならない。ステップ３１４のマップのサイズ推定過程については、以下の図４及び図５を参考にして詳細に説明する。
【００３３】
マップのサイズを推定した後、基地局は、ステップ３１６に進んで、マップオーバーヘッドを最小化するためにバースト制御を行う。換言すれば、基地局は、マップオーバーヘッドを減少させるために、同一端末に送信されるデータバースト又は同一ＭＣＳレベルの適用を受けるデータバーストを一つで構成するデータバースト接続を行う。
【００３４】
バースト制御を行った後、基地局は、ステップ３１８に進んで送信優先順位に応じて入力されるデータバーストを、ダウンリンクフレームのバースト割り当て領域に割り当てる。
【００３５】
図４は、本発明の第１の実施の形態による広帯域無線通信システムにおける基地局のマップのサイズ推定手順を示している。
【００３６】
図４に示すように、基地局は、ステップ４０２にてスケジューリング優先順位順に割り当て可能な接続を選択する。
【００３７】
割り当て可能な接続を選択した後、基地局は、ステップ４０４に進んで、選択された接続が分割ゾーンタイプであると、分割ゾーンにバーストを割り当てる資源が残っているか否かを調査し、選択された接続が非分割ゾーンタイプであると、非分割ゾーンにバーストを割り当てる資源が残っているか否かを調査する。そして、基地局は、バーストを割り当てる資源が存在するとステップ４０６に進み、バーストを割り当てる資源が存在しないとステップ４２２に進む。ここで、資源は、スロットを意味する。
【００３８】
バーストを割り当てる資源が存在すると、基地局は、ステップ４０６に進んで、選択された接続を含む領域に割り当てる総スロット数を計算する。ここで、領域は、分割＆ｎｏｎ−ＨＡＲＱ領域、分割＆ＨＡＲＱ領域、非分割＆ｎｏｎ−ＨＡＲＱ領域及び非分割＆ＨＡＲＱ領域のうちの一つである。すなわち、スケジューリング優先順位順に割り当て可能な接続を選択するごとに、基地局は、選択された接続を含む領域に割り当てる総スロット数を計算する。
【００３９】
総スロット数を計算した後、基地局は、ステップ４０８に進んで、選択された接続を含む領域に対するダウンリンクマップＩＥ又はダウンリンクサブバーストＩＥ個数を更新する。すなわち、選択された接続により、選択された接続を含む領域に対するバースト割り当て情報がマップに追加される場合、基地局は、該当ダウンリンクマップＩＥ又はダウンリンクサブバーストＩＥの個数を増加させる。
【００４０】
例えば、選択された接続が分割＆ｎｏｎＨＡＲＱ領域に含まれ、分割ゾーンがＮｏｎ−ＭＩＭＯゾーンとして運営される場合、以前に選択された分割＆ｎｏｎＨＡＲＱ領域に含まれた接続のＭＣＳレベルのうち、選択された接続のＭＣＳレベルと同じＭＣＳレベルが存在しないと、基地局は、分割−ｎｏｎＨＡＲＱ−ＳＩＭＯ−ダウンリンク−マップＩＥの個数を一つ増加させる。
【００４１】
又は、選択された接続が分割＆ＨＡＲＱ領域に含まれ、分割ゾーンがＮｏｎ−ＭＩＭＯゾーンとして運営される場合、以前に選択された分割＆ＨＡＲＱ領域に含まれた接続の受信端末のうち、選択された接続の受信端末と同じ受信端末が存在しないと、基地局は、ダウンリンク−分割−ＨＡＲＱ−ＳＩＭＯ−サブバーストＩＥの個数を一つ増加させる。接続の受信端末は、各接続に含まれるＢ−ＣＩＤを介して確認される。
【００４２】
又は、選択された接続が分割＆ｎｏｎＨＡＲＱ領域に含まれ、分割ゾーンがＭＩＭＯゾーンとして運営される場合、以前に選択された分割＆ｎｏｎＨＡＲＱ領域に含まれた接続の受信端末のうち、選択された接続の受信端末と同じ受信端末が存在しないと、基地局は、ダウンリンク−分割−ｎｏｎＨＡＲＱ−ＭＩＭＯ−サブバーストＩＥの個数を一つ増加させる。接続の受信端末は、各接続に含まれるＢ−ＣＩＤを介して確認される。
【００４３】
又は、選択された接続が分割＆ＨＡＲＱ領域に含まれ、分割ゾーンがＭＩＭＯゾーンとして運営される場合、以前に選択された分割＆ＨＡＲＱ領域に含まれた接続の受信端末のうち、選択された接続の受信端末と同じ受信端末が存在しないと、基地局は、ダウンリンク−分割−ＨＡＲＱ−ＭＩＭＯ−サブバーストＩＥの個数を一つ増加させる。接続の受信端末は、各接続に含まれるＢ−ＣＩＤ情報を介して確認される。
【００４４】
又は、選択された接続が非分割＆ｎｏｎＨＡＲＱ領域に含まれ、非分割ゾーンがＭＩＭＯゾーンとして運営される場合、以前に選択された非分割＆ｎｏｎＨＡＲＱ領域に含まれた接続の受信端末のうち、選択された接続の受信端末と同じ受信端末が存在しないと、基地局は、ダウンリンク−非分割−ｎｏｎＨＡＲＱ−ＭＩＭＯ−サブバーストＩＥの個数を一つ増加させる。接続の受信端末は、各接続に含まれるＢ−ＣＩＤを介して確認される。
【００４５】
又は、選択された接続が非分割＆ＨＡＲＱ領域に含まれ、非分割ゾーンがＭＩＭＯゾーンとして運営される場合、以前に選択された非分割＆ＨＡＲＱ領域に含まれた接続の受信端末のうち、選択された接続の受信端末と同じ受信端末が存在しないと、基地局は、ダウンリンク−非分割−ＨＡＲＱ−ＭＩＭＯ−サブバーストＩＥの個数を一つ増加させる。接続の受信端末は、各接続に含まれるＢ−ＣＩＤを介して確認される。
【００４６】
その後、基地局は、ステップ４１０に進んで、マップ副チャネル個数、マップシンボル個数、データシンボル個数を計算する。但し、ダウンリンクマップＩＥ又はダウンリンクサブバーストＩＥ値が、マップ副チャネル個数、マップシンボル個数、データシンボル個数を決定する変数であるから、分割−ｎｏｎＨＡＲＱ−ＳＩＭＯ−ダウンリンク−マップＩＥ、ダウンリンク−分割−ＨＡＲＱ−ＳＩＭＯ−サブバーストＩＥ、ダウンリンク−分割−ｎｏｎＨＡＲＱ−ＭＩＭＯ−サブバーストＩＥ、ダウンリンク−分割−ＨＡＲＱ−ＭＩＭＯ−サブバーストＩＥ、ダウンリンク−非分割−ｎｏｎＨＡＲＱ−ＭＩＭＯ−サブバーストＩＥ、ダウンリンク−非分割−ＨＡＲＱ−ＭＩＭＯ−サブバーストＩＥ値が増加しないと、マップスロット数、マップシンボル個数、データシンボル個数は増加しない。
【００４７】
例えば、ＰＵＳＣを基準にマップのサイズ推定は、下記式１のように行われる。
【００４８】
（数１）
RequiredInfo_DL_Common = 88 + 36*UL_N_I_LEVEL_IE + 44*STC_DL_ZONE_IE
RequiredInfo_Seg_SIMO_NonHarq = 36*Seg_SIMO_NonHarq_dl_map_ie_cnt + CID_SWITCH_IE*(8*Seg_SIMO_NonHarq_dl_map_ie_cnt + 16*cids_in_dl_map_cnt)
RequiredInfo_Seg_SIMO_Harq = 76 + 36*dl_Seg_SIMO_Harq_sub_burst_ie_cnt + 8*diuc_change_cnt
Bits_for_Seg_MIMO_NonHarq_region = 48 + 10 + 35*dl_Seg_MIMO_NonHarq_sub_burst_ie_cnt + 12*dedicated_MIMO_dl_control_ie_mode1_NonHarq_cnt
Bits_for_Seg_MIMO_Harq_region = 48 + 10 + 2 + 40*dl_Seg_MIMO_Harq_sub_burst_ie_cnt + 12*dedicated_MIMO_dl_control_ie_mode1_Harq_cnt
Bits_for_Seg_MIMO_region = 44 + 20 + Bits_for_Seg_MIMO_NonHarq_region + Bits_for_MIMO_Harq_region
Bits_for_NonSeg_MIMO_NonHarq_region = 48 + 10 + 35*dl_NonSeg_MIMO_NonHarq_sub_burst_ie_cnt + 12*dedicated_MIMO_dl_control_ie_mode1_NonHarq_cnt
Bits_for_NonSeg_MIMO_Harq_region = 48 + 10 + 2 + 40*dl_NonSeg_MIMO_Harq_sub_burst_ie_cnt + 12*dedicated_MIMO_dl_control_ie_mode1_Harq_cnt
Bits_for_NonSeg_MIMO_region = 44 + 20 + Bits_for_NonSeg_MIMO_NonHarq_region + Bits_for_MIMO_Harq_region
DL MAP Bit 数 = RequiredInfo_DL_Common + RequiredInfo_Seg_SIMO_NonHarq + RequiredInfo_SIMO_Harq + Bits_for_Seg_MIMO_region + Bits_for_NonSeg_MIMO_region
RequiredInfo_UL_Common = 48 + 212*UL_CONTROL_CH_IE + 60*CDMA_ALLOC_IE
RequiredInfo_UL_SIMO_NonHarq = 32*SIMO_NonHarq_UL_MAP_IE_cnt
RequiredInfo_UL_SIMO_Harq = 44 + 40*UL_SIMO_HARQ_SUB_BURST_IE_cnt
RequiredInfo_UL_MIMO = 60 + 40*UL_MIMO_SUB_BURST_IE_cnt + 12*2
UL MAP Bit 数 = RequiredInfo_UL_Common + RequiredInfo_UL_SIMO_NonHarq + RequiredInfo_UL_SIMO_Harq + RequiredInfo_UL_MIMO
MAP Bit 数 = DL MAP Bit 数 + UL MAP Bit 数 + 32(CRC)
Map Slot(Subchannel) 数 = ceil( MAP Bit数 / 48 )*2 + 4(FCH)
Map Symbol 数 = Ceil( Map Slot数 / 10(Symbol当たりの最大Subchannel数) ) * 2
Data Symbol 数 = 29 - ( 1(Preamble) + Map Symbol数 )
式１にて、「ＲｅｑｕｉｒｅｄＩｎｆｏ＿ＤＬ＿Ｃｏｍｍｏｎ」は、ダウンリンクマップを構成するために必要な情報のビット数、「ＵＬ＿Ｎ＿Ｉ＿ＬＥＶＥＬ＿ＩＥ」は、アップリンク干渉及び雑音レベルを表すＩＥ、「ＳＴＣ＿ＤＬ＿ＺＯＮＥ＿ＩＥ」は、ＳＴＣのためのパーミュテーション及び送信ダイバーシチモードを指示するＩＥを意味する。「ＲｅｑｕｉｒｅｄＩｎｆｏ＿Ｓｅｇ＿ＳＩＭＯ＿ＮｏｎＨａｒｑ」は、分割ＳＩＭＯ＆ｎｏｎＨＡＲＱバーストの割り当てのための情報のビット数、「Ｓｅｇ＿ＳＩＭＯ＿ＮｏｎＨａｒｑ＿ｄｌ＿ｍａｐ＿ｉｅ＿ｃｎｔ」は、分割ＳＩＭＯ＆ｎｏｎＨＡＲＱバーストの割り当てのためのＩＥの個数、「ＣＩＤ＿ＳＷＩＴＣＨ＿ＩＥ」は、ダウンリンクマップに含まれるＣＩＤが含まれているか否かがトグルされることを指示するＩＥ、「ｃｉｄｓ＿ｉｎ＿ｄｌ＿ｍａｐ＿ｃｎｔ」は、分割ＳＩＭＯ＆ｎｏｎＨＡＲＱバーストのためのマップＩＥに含まれたＣＩＤ個数を意味する。「ＲｅｑｕｉｒｅｄＩｎｆｏ＿Ｓｅｇ＿ＳＩＭＯ＿Ｈａｒｑ」は、分割ＳＩＭＯ＆ＨＡＲＱバーストの割り当てのための情報のビット数、「ｄｌ＿Ｓｅｇ＿ＳＩＭＯ＿Ｈａｒｑ＿ｓｕｂ＿ｂｕｒｓｔ＿ｉｅ＿ｃｎｔ」は、分割ＳＩＭＯ＆ＨＡＲＱバーストの割り当てのためのＩＥの個数、「ｄｉｕｃ＿ｃｈａｎｇｅ＿ｃｎｔ」は、割り当てる分割ＳＩＭＯ＆ＨＡＲＱバーストのＤＩＵＣが変更される回数を意味する。「Ｂｉｔｓ＿ｆｏｒ＿Ｓｅｇ＿ＭＩＭＯ＿ＮｏｎＨａｒｑ＿ｒｅｇｉｏｎ」は、分割ＭＩＭＯ＆ｎｏｎＨＡＲＱバーストの割り当てのための情報のビット数、「ｄｌ＿Ｓｅｇ＿ＭＩＭＯ＿ＮｏｎＨａｒｑ＿ｓｕｂ＿ｂｕｒｓｔ＿ｉｅ＿ｃｎｔ」は、分割ＭＩＭＯ＆ｎｏｎＨＡＲＱバーストの割り当てのためのＩＥの個数、「ｄｅｄｉｃａｔｅｄ＿ＭＩＭＯ＿ｄｌ＿ｃｏｎｔｒｏｌ＿ｉｅ＿ｍｏｄｅ１＿ＮｏｎＨａｒｑ＿ｃｎｔ」は、各ＭＩＭＯ＆ｎｏｎＨＡＲＱバーストのための専用制御情報を含むＩＥの個数を意味する。「Ｂｉｔｓ＿ｆｏｒ＿Ｓｅｇ＿ＭＩＭＯ＿Ｈａｒｑ＿ｒｅｇｉｏｎ」は、分割ＭＩＭＯ＆ＨＡＲＱバーストの割り当てのための情報のビット数、「ｄｌ＿Ｓｅｇ＿ＭＩＭＯ＿Ｈａｒｑ＿ｓｕｂ＿ｂｕｒｓｔ＿ｉｅ＿ｃｎｔ」は、分割ＭＩＭＯ＆ＨＡＲＱバーストの割り当てのためのＩＥの個数、「ｄｅｄｉｃａｔｅｄ＿ＭＩＭＯ＿ｄｌ＿ｃｏｎｔｒｏｌ＿ｉｅ＿ｍｏｄｅ１＿Ｈａｒｑ＿ｃｎｔ」は、各ＭＩＭＯ＆ＨＡＲＱバーストのための専用制御情報を含むＩＥの個数を意味する。「Ｂｉｔｓ＿ｆｏｒ＿Ｓｅｇ＿ＭＩＭＯ＿ｒｅｇｉｏｎ」は、分割ＭＩＭＯ＆ｎｏｎＨＡＲＱバースト及び分割ＭＩＭＯ＆ＨＡＲＱバーストの割り当てのための情報のビット数を意味する。「Ｂｉｔｓ＿ｆｏｒ＿ＮｏｎＳｅｇ＿ＭＩＭＯ＿ＮｏｎＨａｒｑ＿ｒｅｇｉｏｎ」は、非分割ＭＩＭＯ＆ｎｏｎＨＡＲＱバーストの割り当てのための情報のビット数、「ｄｌ＿ＮｏｎＳｅｇ＿ＭＩＭＯ＿ＮｏｎＨａｒｑ＿ｓｕｂ＿ｂｕｒｓｔ＿ｉｅ＿ｃｎｔ」は、非分割ＭＩＭＯ＆ｎｏｎＨＡＲＱバーストの割り当てのためのＩＥの個数を意味する。「Ｂｉｔｓ＿ｆｏｒ＿ＮｏｎＳｅｇ＿ＭＩＭＯ＿Ｈａｒｑ＿ｒｅｇｉｏｎ」は、非分割ＭＩＭＯ＆ＨＡＲＱバーストの割り当てのための情報のビット数、「ｄｌ＿ＮｏｎＳｅｇ＿ＭＩＭＯ＿Ｈａｒｑ＿ｓｕｂ＿ｂｕｒｓｔ＿ｉｅ＿ｃｎｔ」は、非分割ＭＩＭＯ＆ＨＡＲＱバーストの割り当てのためのＩＥの個数を意味する。「Ｂｉｔｓ＿ｆｏｒ＿ＮｏｎＳｅｇ＿ＭＩＭＯ＿ｒｅｇｉｏｎ」は、非分割ＭＩＭＯ＆ｎｏｎＨＡＲＱバースト及び非分割ＭＩＭＯ＆ＨＡＲＱバーストの割り当てのための情報のビット数を意味する。「ＤＬ  ＭＡＰ  Ｂｉｔ数」は、ダウンリンクマップメッセージのビット数、「ＲｅｑｕｉｒｅｄＩｎｆｏ＿ＵＬ＿Ｃｏｍｍｏｎ」は、アップリンクマップを構成するために必要な情報のビット数を意味する。「ＵＬ＿ＣＯＮＴＲＯＬ＿ＣＨ＿ＩＥ」は、初期レインジング、周期的レインジング、帯域要請レインジング、ＣＱＩ割り当て、ＡＣＫチャネル割り当てのためのＩＥ、「ＣＤＭＡ＿ＡＬＬＯＣ＿ＩＥ」は、帯域割り当て時に使用するＣＤＭＡ要請コードを指示するＩＥを意味する。「ＲｅｑｕｉｒｅｄＩｎｆｏ＿ＵＬ＿ＳＩＭＯ＿ＮｏｎＨａｒｑ」は、アップリンクＳＩＭＯ＆ｎｏｎＨＡＲＱバーストの割り当てのための情報のビット数、「ＳＩＭＯ＿ＮｏｎＨａｒｑ＿ＵＬ＿ＭＡＰ＿ＩＥ＿ｃｎｔ」は、アップリンクＳＩＭＯ＆ｎｏｎＨＡＲＱバーストの割り当てのためのＩＥの個数を意味する。「ＲｅｑｕｉｒｅｄＩｎｆｏ＿ＵＬ＿ＳＩＭＯ＿Ｈａｒｑ」は、アップリンクＳＩＭＯ＆ＨＡＲＱバーストの割り当てのための情報のビット数、「ＵＬ＿ＳＩＭＯ＿ＨＡＲＱ＿ＳＵＢ＿ＢＵＲＳＴ＿ＩＥ＿ｃｎｔ」は、アップリンクＳＩＭＯ＆ＨＡＲＱバーストの割り当てのためのＩＥの個数を意味する。「ＲｅｑｕｉｒｅｄＩｎｆｏ＿ＵＬ＿ＭＩＭＯ」は、アップリンクＭＩＭＯ＆ｎｏｎＨＡＲＱバースト及びアップリンクＭＩＭＯ＆ＨＡＲＱバーストの割り当てのための情報のビット数、「ＵＬ＿ＭＩＭＯ＿ＳＵＢ＿ＢＵＲＳＴ＿ＩＥ＿ｃｎｔ」は、アップリンクＭＩＭＯ＆ｎｏｎＨＡＲＱバースト及びアップリンクＭＩＭＯ＆ＨＡＲＱバーストの割り当てのためのＩＥの個数を意味する。「ＵＬ  ＭＡＰ  Ｂｉｔ数」は、アップリンクマップメッセージのビット数、「ＭＡＰ  Ｂｉｔ数」は、総マップメッセージのビット数、「Ｍａｐ  Ｓｌｏｔ（Ｓｕｂｃｈａｎｎｅｌ）数」は、マップメッセージにより占有されるスロット数、「Ｍａｐ  Ｓｙｍｂｏｌ数」は、マップメッセージにより占有されるシンボル個数、「Ｄａｔａ  Ｓｙｍｂｏｌ数」は、データにより占有されるシンボル個数を意味する。
【００４９】
式１を利用してデータバーストを割り当てる際、マップ領域のシンボル個数及びデータバースト割り当て領域のシンボル個数が決定される。ＰＵＳＣ構造を有するフレームにおいて２シンボル当たりのスロット数が３０であり、ＦＵＳＣ構造を有するフレームにおいて１シンボル当たりのスロット数が１６である。マップシンボル個数及びデータバーストシンボル個数を計算した基地局は、データバーストをサブデータバースト領域に割り当てることができる。一般に、ダウンリンクフレームにおいてプリアンブル領域は、１個のシンボルからなり、一つのフレーム区間においてアップリンクマップＩＥ及びダウンリンクマップＩＥ個数の決定は、フレーム区間から送信されるべきアップリンクデータバースト、及びダウンリンクデータバーストの個数により決定される。もちろん、本発明では、データバーストを接続しないことによって、ダウンリンクマップＩＥの数が変更されうる。
【００５０】
次に、基地局は、ステップ４１２に進んで、ダウンリンク副フレームにおいて非分割ゾーンのデータシンボル個数、非分割ゾーンに割り当て可能な最大スロット数を計算する。例えば、ＰＵＳＣを基準に非分割ゾーンのデータシンボル個数、非分割ゾーンに割り当て可能な最大スロット数は、下記式２のように計算される。
【００５１】
（数２）
Ｎｏｎ−ｓｅｇｍｅｎｔｅｄ  Ｚｏｎｅ  Ｄａｔａ  Ｓｙｍｂｏｌ数＝８
Ｎｏｎ−ｓｅｇｍｅｎｔｅｄ  Ｚｏｎｅに割り当てることができる最大Ｓｌｏｔ数＝３０（Ｓｙｍｂｏｌ当たりの最大Ｓｕｂｃｈａｎｎｅｌ数）＊（Ｎｏｎ−ｓｅｇｍｅｎｔｅｄ  Ｚｏｎｅ  Ｄａｔａ  Ｓｙｍｂｏｌ数）／２
式２にて、「Ｎｏｎ−ｓｅｇｍｅｎｔｅｄ  ＺｏｎｅＤａｔａ  Ｓｙｍｂｏｌ数」は、非分割ゾーンを構成するデータシンボル個数、「Ｎｏｎ−ｓｅｇｍｅｎｔｅｄ  Ｚｏｎｅに割り当てることができる最大Ｓｌｏｔ数」は、非分割ゾーンに割り当て可能な最大スロット数、「Ｓｙｍｂｏｌ当たりの最大Ｓｕｂｃｈａｎｎｅｌ数」は、一つのシンボルを構成する副チャネル個数を意味する。
【００５２】
次に、基地局は、ステップ４１４に進んで、ダウンリンク副フレームにおいて分割ゾーンのデータシンボル個数、分割ゾーンに割り当て可能な最大スロット数を計算する。例えば、ＰＵＳＣを基準に分割ゾーンのデータシンボル個数、分割ゾーンに割り当て可能な最大スロット数は、下記式３のように計算される。
【００５３】
（数３）
Ｓｅｇｍｅｎｔｅｄ  Ｚｏｎｅ  Ｄａｔａ  Ｓｙｍｂｏｌ数＝Ｄａｔａ  Ｓｙｍｂｏｌ数−Ｎｏｎ−ｓｅｇｍｅｎｔｅｄ  Ｚｏｎｅ  Ｄａｔａ  Ｓｙｍｂｏｌ数
Ｓｅｇｍｅｎｔｅｄ  Ｚｏｎｅに割り当てることができる最大Ｓｌｏｔ数＝１０（Ｓｙｍｂｏｌ当たりの最大Ｓｕｂｃｈａｎｎｅｌ数）＊（Ｓｅｇｍｅｎｔｅｄ  Ｚｏｎｅ  Ｄａｔａ  Ｓｙｍｂｏｌ数）／２
式３にて、「Ｓｅｇｍｅｎｔｅｄ  Ｚｏｎｅ  Ｄａｔａ  Ｓｙｍｂｏｌ数」は、分割ゾーンを構成するデータシンボル個数、「Ｄａｔａ  Ｓｙｍｂｏｌ数」は、フレームの総データシンボル個数、「Ｎｏｎ−ｓｅｇｍｅｎｔｅｄ  Ｚｏｎｅ  Ｄａｔａ  Ｓｙｍｂｏｌ数」は、非分割ゾーンを構成するデータシンボル個数、「Ｓｅｇｍｅｎｔｅｄ  Ｚｏｎｅに割り当てることができる最大Ｓｌｏｔ数」は、分割ゾーンに割り当て可能な最大スロット数、「Ｓｙｍｂｏｌ当たりの最大Ｓｕｂｃｈａｎｎｅｌ数」は、一つのシンボルを構成する副チャネル個数を意味する。
【００５４】
その後、基地局は、ステップ４１６に進んで、ダウンリンク副フレームにおいて分割ゾーンに割り当てる総スロット数、非分割ゾーンに割り当てる総スロット数を計算する。
【００５５】
次に、基地局は、ステップ４１８に進んで、分割ゾーンに割り当てる総スロット数及び分割ゾーンに割り当て可能な最大スロット数を比較する。万一、分割ゾーンに割り当てる総スロット数が分割ゾーンに割り当て可能な最大スロット数より小さいと、基地局は、ステップ４０２に戻る。
【００５６】
これに対し、分割ゾーンに割り当てる総スロット数が分割ゾーンに割り当て可能な最大スロット数より大きいか又は同じであると、基地局は、ステップ４２０に進んで非分割ゾーンに割り当てる総スロット数及び非分割ゾーンに割り当て可能な最大スロット数を比較する。万一、非分割ゾーンに割り当てる総スロット数が非分割ゾーンに割り当て可能な最大スロット数より小さいと、基地局は、ステップ４０２に戻る。
【００５７】
これに対し、非分割ゾーンに割り当てる総スロット数が非分割ゾーンに割り当て可能な最大スロット数より大きいか又は同じであると、基地局は、ステップ４２２に進んで、マップのサイズの最終推定値を決定する。すなわち、基地局は、現在計算されたマップのサイズをマップのサイズの最終推定値と決定する。
【００５８】
図５は、本発明の第２の実施の形態による広帯域無線通信システムにおける基地局のマップのサイズ推定手順を示している。
【００５９】
図５に示すように、基地局は、ステップ５０２にて、基地局は、スケジューリング優先順位順に割り当て可能な接続を選択する。
【００６０】
次に、基地局は、ステップ５０４に進んで、選択された接続が分割ゾーンタイプであると、分割ゾーンにバーストを割り当てる資源が残っているか否かを調査し、選択された接続が非分割ゾーンタイプであると、非分割ゾーンにバーストを割り当てる資源が残っているか否かを調査する。そして、バーストを割り当てる資源が存在すると、基地局はステップ５１２に進み、バーストを割り当てる資源が存在しないと、ステップ５０６に進む。ここで、資源は、スロットを意味する。
【００６１】
バーストを割り当てる資源が存在しないと、基地局は、ステップ５０６に進んで、選択された接続が分割ゾーンタイプであると、非分割ゾーンにバーストを割り当てる資源が残っているか否かを調査し、選択された接続が非分割ゾーンタイプであると、分割ゾーンにバーストを割り当てる資源が残っているか否かを調査する。そして、基地局は、バーストを割り当てる資源が存在すると、ステップ５０８に進み、バーストを割り当てる資源が存在しないと、ステップ５２８に進む。ここで、資源は、スロットを意味する。
【００６２】
バーストを割り当てる資源が存在すると、基地局は、ステップ５０８に進んで、選択された接続が分割ゾーンタイプであると、ゾーンタイプを非分割ゾーンタイプに変更し、選択された接続が非分割ゾーンタイプであると、ゾーンタイプを分割ゾーンタイプに変更する。
【００６３】
選択された接続のゾーンタイプを変更した後、基地局は、ステップ５１０に進んで、変更されたゾーンタイプによって選択された接続のＮｏｎ−ＭＩＭＯ又はＭＩＭＯサービスタイプを変更し、選択された接続のＭＣＳレベルを調整する。
【００６４】
次に、基地局は、ステップ５１２に進んで、選択された接続を含む領域に割り当てる総スロット数を計算し、ステップ５１４に進む。ここで、領域は、分割＆ｎｏｎ−ＨＡＲＱ領域、分割＆ＨＡＲＱ領域、非分割＆ｎｏｎ−ＨＡＲＱ領域及び非分割＆ＨＡＲＱ領域のうちの一つである。すなわち、スケジューリング優先順位順に割り当て可能な接続を選択するごとに、基地局は、選択された接続を含む領域に割り当てる総スロット数を計算する。
【００６５】
選択された接続を含む領域に割り当てる総スロット数を計算した後、基地局は、ステップ５１４に進んで、選択された接続を含む領域に対するダウンリンクマップＩＥ又はダウンリンクサブバーストＩＥ個数を更新する。すなわち、選択された接続により、選択された接続を含む領域に対するバースト割り当て情報がマップに追加される場合、基地局は、該当ダウンリンクマップＩＥ又はダウンリンクサブバーストＩＥの個数を増加させる。
【００６６】
例えば、選択された接続が分割＆ｎｏｎＨＡＲＱ領域に含まれ、分割ゾーンがＮｏｎ−ＭＩＭＯゾーンとして運営される場合、以前に選択された分割＆ｎｏｎＨＡＲＱ領域に含まれた接続のＭＣＳレベルのうち、選択された接続のＭＣＳレベルと同じＭＣＳレベルが存在しないと、基地局は、分割−ｎｏｎＨＡＲＱ−ＳＩＭＯ−ダウンリンク−マップＩＥの個数を一つ増加させる。
【００６７】
又は、選択された接続が分割＆ＨＡＲＱ領域に含まれ、分割ゾーンがＮｏｎ−ＭＩＭＯゾーンとして運営される場合、以前に選択された分割＆ＨＡＲＱ領域に含まれた接続の受信端末のうち、選択された接続の受信端末と同じ受信端末が存在しないと、基地局は、ダウンリンク−分割＆ＨＡＲＱ−ＳＩＭＯ−サブバーストＩＥの個数を一つ増加させる。接続の受信端末は、各接続に含まれるＢ−ＣＩＤを介して確認される。
【００６８】
又は、選択された接続が分割＆ｎｏｎＨＡＲＱ領域に含まれ、分割ゾーンがＭＩＭＯゾーンとして運営される場合、以前に選択された分割＆ｎｏｎＨＡＲＱ領域に含まれた接続の受信端末のうち、選択された接続の受信端末と同じ受信端末が存在しないと、基地局は、ダウンリンク−分割−ｎｏｎＨＡＲＱ−ＭＩＭＯ−サブバーストＩＥの個数を一つ増加させる。接続の受信端末は、各接続に含まれるＢ−ＣＩＤを介して確認される。
【００６９】
又は、選択された接続が分割＆ＨＡＲＱ領域に含まれ、分割ゾーンがＭＩＭＯゾーンとして運営される場合、以前に選択された分割＆ＨＡＲＱ領域に含まれた接続の受信端末のうち、選択された接続の受信端末と同じ受信端末が存在しないと、基地局は、ダウンリンク−分割＆ＨＡＲＱ−ＭＩＭＯ−サブバーストＩＥの個数を一つ増加させる。接続の受信端末は、各接続に含まれるＢ−ＣＩＤを介して確認される。
【００７０】
又は、選択された接続が非分割＆ｎｏｎＨＡＲＱ領域に含まれ、非分割ゾーンがＭＩＭＯゾーンとして運営される場合、以前に選択された非分割＆ｎｏｎＨＡＲＱ領域に含まれた接続の受信端末のうち、選択された接続の受信端末と同じ受信端末が存在しないと、基地局は、ダウンリンク−非分割＆ｎｏｎＨＡＲＱ−ＭＩＭＯ−サブバーストＩＥの個数を一つ増加させる。接続の受信端末は、各接続に含まれるＢ−ＣＩＤを介して確認される。
【００７１】
又は、選択された接続が非分割＆ＨＡＲＱ領域に含まれ、非分割ゾーンがＭＩＭＯゾーンとして運営される場合、以前に選択された非分割＆ＨＡＲＱ領域に含まれた接続の受信端末のうち、選択された接続の受信端末と同じ受信端末が存在しないと、基地局は、ダウンリンク−非分割＆ＨＡＲＱ−ＭＩＭＯ−サブバーストＩＥの個数を一つ増加させる。接続の受信端末は、各接続に含まれるＢ−ＣＩＤを介して確認される。
【００７２】
その後、基地局は、ステップ５１６に進んで、副チャネル個数、マップシンボル個数、データシンボル個数を計算する。但し、ダウンリンクマップＩＥ又はダウンリンクサブバーストＩＥ値が、マップ副チャネル個数、マップシンボル個数、データシンボル個数を決定する変数であるから、分割−ｎｏｎＨＡＲＱ−ＳＩＭＯ−ダウンリンク−マップＩＥ、ダウンリンク−分割＆ＨＡＲＱ−ＳＩＭＯ−サブバーストＩＥ、ダウンリンク−分割−ｎｏｎＨＡＲＱ−ＭＩＭＯ−サブバーストＩＥ、ダウンリンク−分割＆ＨＡＲＱ−ＭＩＭＯ−サブバーストＩＥ、ダウンリンク−非分割＆ｎｏｎＨＡＲＱ−ＭＩＭＯ−サブバーストＩＥ、又はダウンリンク−非分割＆ＨＡＲＱ−ＭＩＭＯ−サブバーストＩＥ値が増加しないと、マップスロット数、マップシンボル個数、データシンボル個数は増加しない。例えば、ＰＵＳＣを基準にマップのサイズ推定は、下記式４のように行われる。
【００７３】
（数４）
RequiredInfo_DL_Common=88+36*UL_N_I_LEVEL_IE+44*STC_DL_ZONE_IE
RequiredInfo_Seg_SIMO_NonHarq=36*Seg_SIMO_NonHarq_dl_map_ie_cnt+CID_SWITCH_IE*8*Seg_SIMO_NonHarq_dl_map_ie_cnt+16*cids_in_dl_map_cnt)
RequiredInfo_Seg_SIMO_Harq=76+36*dl_Seg_SIMO_Harq_sub_burst_ie_cnt+8*diuc_change_cnt
Bits_for_Seg_MIMO_NonHarq_region=48+10+35*dl_Seg_MIMO_NonHarq_sub_burst_ie_cnt+12*dedicated_MIMO_dl_control_ie_mode1_NonHarq_cnt
Bits_for_Seg_MIMO_Harq_region=48+10+2+40*dl_Seg_MIMO_Harq_sub_burst_ie_cnt+12*dedicated_MIMO_dl_control_ie_mode1_Harq_cnt
Bits_for_Seg_MIMO_region=44+20+Bits_for_Seg_MIMO_NonHarq_region+Bits_for_MIMO_Harq_region
Bits_for_NonSeg_MIMO_NonHarq_region=48+10+35*dl_NonSeg_MIMO_NonHarq_sub_burst_ie_cnt+12*dedicated_MIMO_dl_control_ie_mode1_NonHarq_cnt
Bits_for_NonSeg_MIMO_Harq_region=48+10+2+40*dl_NonSeg_MIMO_Harq_sub_burst_ie_cnt+12*dedicated_MIMO_dl_control_ie_mode1_Harq_cnt
Bits_for_NonSeg_MIMO_region=44+20+Bits_for_NonSeg_MIMO_NonHarq_region+Bits_for_MIMO_Harq_region
DL MAP Bit数=RequiredInfo_DL_Common+RequiredInfo_Seg_SIMO_NonHarq+RequiredInfo_SIMO_Harq+Bits_for_Seg_MIMO_region+Bits_for_NonSeg_MIMO_region
RequiredInfo_UL_Common=48+212*UL_CONTROL_CH_IE+60*CDMA_ALLOC_IE
RequiredInfo_UL_SIMO_NonHarq=32*SIMO_NonHarq_UL_MAP_IE_cnt
RequiredInfo_UL_SIMO_Harq=44+40*UL_SIMO_HARQ_SUB_BURST_IE_cnt
RequiredInfo_UL_MIMO=60+40*UL_MIMO_SUB_BURST_IE_cnt+12*2
UL MAP Bit数=RequiredInfo_UL_Common+RequiredInfo_UL_SIMO_NonHarq+RequiredInfo_UL_SIMO_Harq+RequiredInfo_UL_MIMO
MAP Bit数=DL MAP Bit数+UL MAP Bit数+32(CRC)
Map Slot(Subchannel)数=ceil(MAP Bit数/48)*2+4(FCH)
Map Symbol数=Ceil(Map Slot数/10(Symbol当たりの最大Subchannel数))*2
Data Symbol数=29-(1(Preamble)+Map Symbol数)
式４にて、「ＲｅｑｕｉｒｅｄＩｎｆｏ＿ＤＬ＿Ｃｏｍｍｏｎ」は、ダウンリンクマップを構成するために必要な情報のビット数、「ＵＬ＿Ｎ＿Ｉ＿ＬＥＶＥＬ＿ＩＥ」は、アップリンク干渉及び雑音レベルを表すＩＥ、「ＳＴＣ＿ＤＬ＿ＺＯＮＥ＿ＩＥ」は、ＳＴＣのためのパーミュテーション及び送信ダイバーシチモードを指示するＩＥを意味する。「ＲｅｑｕｉｒｅｄＩｎｆｏ＿Ｓｅｇ＿ＳＩＭＯ＿ＮｏｎＨａｒｑ」は、分割ＳＩＭＯ＆ｎｏｎＨＡＲＱバーストの割り当てのための情報のビット数、「Ｓｅｇ＿ＳＩＭＯ＿ＮｏｎＨａｒｑ＿ｄｌ＿ｍａｐ＿ｉｅ＿ｃｎｔ」は、分割ＳＩＭＯ＆ｎｏｎＨＡＲＱバーストの割り当てのためのＩＥの個数、「ＣＩＤ＿ＳＷＩＴＣＨ＿ＩＥ」は、ダウンリンクマップに含まれるＣＩＤが含まれているか否かがトグルされることを指示するＩＥ、「ｃｉｄｓ＿ｉｎ＿ｄｌ＿ｍａｐ＿ｃｎｔ」は、分割ＳＩＭＯ＆ｎｏｎＨＡＲＱバーストのためのマップＩＥに含まれたＣＩＤ個数を意味する。「ＲｅｑｕｉｒｅｄＩｎｆｏ＿Ｓｅｇ＿ＳＩＭＯ＿Ｈａｒｑ」は、分割ＳＩＭＯ＆ＨＡＲＱバーストの割り当てのための情報のビット数、「ｄｌ＿Ｓｅｇ＿ＳＩＭＯ＿Ｈａｒｑ＿ｓｕｂ＿ｂｕｒｓｔ＿ｉｅ＿ｃｎｔ」は、分割ＳＩＭＯ＆ＨＡＲＱバーストの割り当てのためのＩＥの個数、「ｄｉｕｃ＿ｃｈａｎｇｅ＿ｃｎｔ」は、割り当てる分割ＳＩＭＯ＆ＨＡＲＱバーストのＤＩＵＣが変更される回数を意味する。「Ｂｉｔｓ＿ｆｏｒ＿Ｓｅｇ＿ＭＩＭＯ＿ＮｏｎＨａｒｑ＿ｒｅｇｉｏｎ」は、分割ＭＩＭＯ＆ｎｏｎＨＡＲＱバーストの割り当てのための情報のビット数、「ｄｌ＿Ｓｅｇ＿ＭＩＭＯ＿ＮｏｎＨａｒｑ＿ｓｕｂ＿ｂｕｒｓｔ＿ｉｅ＿ｃｎｔ」は、分割ＭＩＭＯ＆ｎｏｎＨＡＲＱバーストの割り当てのためのＩＥの個数、「ｄｅｄｉｃａｔｅｄ＿ＭＩＭＯ＿ｄｌ＿ｃｏｎｔｒｏｌ＿ｉｅ＿ｍｏｄｅ１＿ＮｏｎＨａｒｑ＿ｃｎｔ」は、各ＭＩＭＯ＆ｎｏｎＨＡＲＱバーストのための専用制御情報を含むＩＥの個数を意味する。「Ｂｉｔｓ＿ｆｏｒ＿Ｓｅｇ＿ＭＩＭＯ＿Ｈａｒｑ＿ｒｅｇｉｏｎ」は、分割ＭＩＭＯ＆ＨＡＲＱバーストの割り当てのための情報のビット数、「ｄｌ＿Ｓｅｇ＿ＭＩＭＯ＿Ｈａｒｑ＿ｓｕｂ＿ｂｕｒｓｔ＿ｉｅ＿ｃｎｔ」は、分割ＭＩＭＯ＆ＨＡＲＱバーストの割り当てのためのＩＥの個数、「ｄｅｄｉｃａｔｅｄ＿ＭＩＭＯ＿ｄｌ＿ｃｏｎｔｒｏｌ＿ｉｅ＿ｍｏｄｅ１＿Ｈａｒｑ＿ｃｎｔ」は、各ＭＩＭＯ＆ＨＡＲＱバーストのための専用制御情報を含むＩＥの個数を意味する。「Ｂｉｔｓ＿ｆｏｒ＿Ｓｅｇ＿ＭＩＭＯ＿ｒｅｇｉｏｎ」は、分割ＭＩＭＯ＆ｎｏｎＨＡＲＱバースト及び分割ＭＩＭＯ＆ＨＡＲＱバーストの割り当てのための情報のビット数を意味する。「Ｂｉｔｓ＿ｆｏｒ＿ＮｏｎＳｅｇ＿ＭＩＭＯ＿ＮｏｎＨａｒｑ＿ｒｅｇｉｏｎ」は、非分割ＭＩＭＯ＆ｎｏｎＨＡＲＱバーストの割り当てのための情報のビット数、「ｄｌ＿ＮｏｎＳｅｇ＿ＭＩＭＯ＿ＮｏｎＨａｒｑ＿ｓｕｂ＿ｂｕｒｓｔ＿ｉｅ＿ｃｎｔ」は、非分割ＭＩＭＯ＆ｎｏｎＨＡＲＱバーストの割り当てのためのＩＥの個数を意味する。「Ｂｉｔｓ＿ｆｏｒ＿ＮｏｎＳｅｇ＿ＭＩＭＯ＿Ｈａｒｑ＿ｒｅｇｉｏｎ」は、非分割ＭＩＭＯ＆ＨＡＲＱバーストの割り当てのための情報のビット数、「ｄｌ＿ＮｏｎＳｅｇ＿ＭＩＭＯ＿Ｈａｒｑ＿ｓｕｂ＿ｂｕｒｓｔ＿ｉｅ＿ｃｎｔ」は、非分割ＭＩＭＯ＆ＨＡＲＱバーストの割り当てのためのＩＥの個数を意味する。「Ｂｉｔｓ＿ｆｏｒ＿ＮｏｎＳｅｇ＿ＭＩＭＯ＿ｒｅｇｉｏｎ」は、非分割ＭＩＭＯ＆ｎｏｎＨＡＲＱバースト及び非分割ＭＩＭＯ＆ＨＡＲＱバーストの割り当てのための情報のビット数、「ＤＬ  ＭＡＰ  Ｂｉｔ数」は、ダウンリンクマップメッセージのビット数を意味する。「ＲｅｑｕｉｒｅｄＩｎｆｏ＿ＵＬ＿Ｃｏｍｍｏｎ」は、アップリンクマップを構成するために必要な情報のビット数、「ＵＬ＿ＣＯＮＴＲＯＬ＿ＣＨ＿ＩＥ」は、初期レインジング、周期的レインジング、帯域要請レインジング、ＣＱＩ割り当て、ＡＣＫチャネル割り当てのためのＩＥ、「ＣＤＭＡ＿ＡＬＬＯＣ＿ＩＥ」は、帯域割り当て時に使用するＣＤＭＡ要請コードを指示するＩＥを意味する。「ＲｅｑｕｉｒｅｄＩｎｆｏ＿ＵＬ＿ＳＩＭＯ＿ＮｏｎＨａｒｑ」は、アップリンクＳＩＭＯ＆ｎｏｎＨＡＲＱバーストの割り当てのための情報のビット数、「ＳＩＭＯ＿ＮｏｎＨａｒｑ＿ＵＬ＿ＭＡＰ＿ＩＥ＿ｃｎｔ」は、アップリンクＳＩＭＯ＆ｎｏｎＨＡＲＱバーストの割り当てのためのＩＥの個数を意味する。「ＲｅｑｕｉｒｅｄＩｎｆｏ＿ＵＬ＿ＳＩＭＯ＿Ｈａｒｑ」は、アップリンクＳＩＭＯ＆ＨＡＲＱバーストの割り当てのための情報のビット数、「ＵＬ＿ＳＩＭＯ＿ＨＡＲＱ＿ＳＵＢ＿ＢＵＲＳＴ＿ＩＥ＿ｃｎｔ」は、アップリンクＳＩＭＯ＆ＨＡＲＱバーストの割り当てのためのＩＥの個数を意味する。「ＲｅｑｕｉｒｅｄＩｎｆｏ＿ＵＬ＿ＭＩＭＯ」は、アップリンクＭＩＭＯ＆ｎｏｎＨＡＲＱバースト及びアップリンクＭＩＭＯ＆ＨＡＲＱバーストの割り当てのための情報のビット数、「ＵＬ＿ＭＩＭＯ＿ＳＵＢ＿ＢＵＲＳＴ＿ＩＥ＿ｃｎｔ」は、アップリンクＭＩＭＯ＆ｎｏｎＨＡＲＱバースト及びアップリンクＭＩＭＯ＆ＨＡＲＱバーストの割り当てのためのＩＥの個数、「ＵＬ  ＭＡＰ  Ｂｉｔ数」は、アップリンクマップメッセージのビット数を意味する。「ＭＡＰ  Ｂｉｔ数」は、総マップメッセージのビット数、「Ｍａｐ  Ｓｌｏｔ（Ｓｕｂｃｈａｎｎｅｌ）数」は、マップメッセージにより占有されるスロット数、「Ｍａｐ  Ｓｙｍｂｏｌ数」は、マップメッセージにより占有されるシンボル個数、「Ｄａｔａ  Ｓｙｍｂｏｌ数」は、データにより占有されるシンボル個数を意味する。
【００７４】
式４を利用してデータバーストを割り当てる際、マップ領域のシンボル個数及びデータバースト割り当て領域のシンボル個数が決定される。ＰＵＳＣ構造を有するフレームにおいて２シンボル当たりのスロット数が３０であり、ＦＵＳＣ構造を有するフレームにおいて１シンボル当たりのスロット数が１６である。マップシンボル個数とデータバーストシンボル個数とを計算した基地局は、データバーストをサブデータバースト領域に割り当てることができる。一般に、ダウンリンクフレームにおいてプリアンブル領域は、１個のシンボルからなり、一つのフレーム区間においてアップリンクマップＩＥ及びダウンリンクマップＩＥ個数の決定は、フレーム区間から送信されるべきアップリンクデータバースト及びダウンリンクデータバーストの個数により決定される。もちろん、本発明では、データバーストを接続しないことによってダウンリンクマップＩＥの数が変更されうる。
【００７５】
その後、基地局は、ステップ５１８に進んで、ダウンリンク副フレームにおいて非分割ゾーンのデータシンボル個数、非分割ゾーンに割り当て可能な最大スロット数を計算する。例えば、ＰＵＳＣを基準に非分割ゾーンのデータシンボル個数、非分割ゾーンに割り当て可能な最大スロット数は、下記式５のように計算される。
【００７６】
（数５）
Ｎｏｎ−ｓｅｇｍｅｎｔｅｄ  Ｚｏｎｅ  Ｄａｔａ  Ｓｙｍｂｏｌ数＝８
Ｎｏｎ−ｓｅｇｍｅｎｔｅｄ  Ｚｏｎｅに割り当てることができる最大Ｓｌｏｔ数＝３０（Ｓｙｍｂｏｌ当たりの最大Ｓｕｂｃｈａｎｎｅｌ数）＊（Ｎｏｎ−ｓｅｇｍｅｎｔｅｄ  Ｚｏｎｅ  Ｄａｔａ  Ｓｙｍｂｏｌ数）／２
式５にて、「Ｎｏｎ−ｓｅｇｍｅｎｔｅｄ  Ｚｏｎｅ  Ｄａｔａ  Ｓｙｍｂｏｌ数」は、非分割ゾーンを構成するデータシンボル個数、「Ｎｏｎ−ｓｅｇｍｅｎｔｅｄ  Ｚｏｎｅに割り当てることができる最大Ｓｌｏｔ数」は、非分割ゾーンに割り当て可能な最大スロット数、「Ｓｙｍｂｏｌ当たりの最大Ｓｕｂｃｈａｎｎｅｌ数」は、一つのシンボルを構成する副チャネル個数を意味する。
【００７７】
次に、基地局は、ステップ５２０に進んで、ダウンリンク副フレームにおいて分割ゾーンのデータシンボル個数、分割ゾーンに割り当て可能な最大スロット数を計算する。例えば、ＰＵＳＣを基準に分割ゾーンのデータシンボル個数、分割ゾーンに割り当て可能な最大スロット数は、下記式６のように計算される。
【００７８】
（数６）
Ｓｅｇｍｅｎｔｅｄ  Ｚｏｎｅ  Ｄａｔａ  Ｓｙｍｂｏｌ数＝Ｄａｔａ  Ｓｙｍｂｏｌ数−Ｎｏｎ−ｓｅｇｍｅｎｔｅｄ  Ｚｏｎｅ  Ｄａｔａ  Ｓｙｍｂｏｌ数
Ｓｅｇｍｅｎｔｅｄ  Ｚｏｎｅに割り当てることができる最大Ｓｌｏｔ数＝１０（Ｓｙｍｂｏｌ当たりの最大Ｓｕｂｃｈａｎｎｅｌ数）＊（Ｓｅｇｍｅｎｔｅｄ  Ｚｏｎｅ  Ｄａｔａ  Ｓｙｍｂｏｌ数）／２
式６にて、「Ｓｅｇｍｅｎｔｅｄ  Ｚｏｎｅ  Ｄａｔａ  Ｓｙｍｂｏｌ数」は、分割ゾーンを構成するデータシンボル個数、「Ｄａｔａ  Ｓｙｍｂｏｌ数」は、フレームの総データシンボル個数、「Ｎｏｎ−ｓｅｇｍｅｎｔｅｄ  Ｚｏｎｅ  Ｄａｔａ  Ｓｙｍｂｏｌ数」は、非分割ゾーンを構成するデータシンボル個数、「Ｓｅｇｍｅｎｔｅｄ  Ｚｏｎｅに割り当てることができる最大Ｓｌｏｔ数」は、分割ゾーンに割り当て可能な最大スロット数、「Ｓｙｍｂｏｌ当たりの最大Ｓｕｂｃｈａｎｎｅｌ数」は、一つのシンボルを構成する副チャネル個数を意味する。
【００７９】
その後、基地局は、ステップ５２２に進んで、ダウンリンク副フレームにおいて分割ゾーンに割り当てる総スロット数、非分割ゾーンに割り当てる総スロット数を計算する。
【００８０】
次に、基地局は、ステップ５２４に進んで、分割ゾーンに割り当てる総スロット数と分割ゾーンに割り当て可能な最大スロット数とを比較する。万一、分割ゾーンに割り当てる総スロット数が分割ゾーンに割り当て可能な最大スロット数より小さいと、基地局はステップ５０２に戻る。
【００８１】
これに対し、分割ゾーンに割り当てる総スロット数が分割ゾーンに割り当て可能な最大スロット数より大きいか又は同じであると、基地局は、ステップ５２６に進んで非分割ゾーンに割り当てる総スロット数と非分割ゾーンに割り当て可能な最大スロット数とを比較する。万一、非分割ゾーンに割り当てる総スロット数が非分割ゾーンに割り当て可能な最大スロット数より小さいと、基地局は、ステップ５０２に戻る。
【００８２】
これに対し、非分割ゾーンに割り当てる総スロット数が非分割ゾーンに割り当て可能な最大スロット数より大きいか又は同じであると、基地局は、ステップ５２８に進んで、マップのサイズの最終推定値を決定する。すなわち、基地局は、現在計算されたマップのサイズをマップのサイズの最終推定値と決定する。
【００８３】
図６は、本発明の実施の形態による広帯域無線通信システムにおける基地局のブロック構成を示している。
【００８４】
図６に示すように、基地局は、スケジューラ６０２、メッセージ生成器６０４、データバッファ６０６、符号化器６０８、シンボル変調器６１０、副搬送波マッパー６１２、ＯＦＤＭ変調器６１４、ＲＦ（Ｒａｄｉｏ  Ｆｒｅｑｕｅｎｃｙ）送信機６１６を備えて構成される。
【００８５】
スケジューラ６０２は、接続された端末に資源を割り当てる。すなわち、スケジューラ６０２は、フレームを分割ゾーン及び非分割ゾーンに区分し、接続の優先順位、ゾーンタイプ、サービスタイプ、ＭＣＳレベルなどを決定する。そして、スケジューラ６０２は、マップ推定器６１８を介してマップのサイズを推定し、資源割り当て器６２０を介して各接続に資源を割り当てる。マップ推定器６１８の詳細な構成及び機能は、以下で図７を参考して説明する。メッセージ生成器６０４は、端末に送信されるメッセージを生成する。特に、メッセージ生成器６０４は、スケジューラ６０２から提供される資源割り当て結果を端末に送信するためのマップメッセージを生成する。データバッファ６０６は、送信されるデータを格納し、スケジューラ６０２の資源割り当て結果によって格納されたデータを出力する。
【００８６】
符号化器６０８は、メッセージ生成器６０４及びデータバッファ６０６から提供される情報ビット列をチャネル符号化する。シンボル変調器６１０は、チャネル符号化されたビット列を復調して複素シンボルに変換する。副搬送波マッパー６１２は、スケジューラ６０２の資源割り当て結果によって複素シンボルを周波数領域にマッピングする。ＯＦＤＭ変調器６１４は、ＩＦＦＴ演算により周波数領域にマッピングされた複素シンボルを時間領域信号に変換し、ＣＰを挿入することによって、ＯＦＤＭシンボルを構成する。ＲＦ送信機６１６は、ベースバンド信号をＲＦ帯域信号にアップ変換し、アンテナを介して送信する。
【００８７】
図７は、本発明の実施の形態による広帯域無線通信システムにおけるマップ推定器６１８のブロック構成を示している。
【００８８】
図７に示すように、マップ推定器６１８は、接続管理器７０２、優先順位決定器７０４、接続選択器７０６、資源現況計算器７０８、推定完了判断器７１０を備えて構成される。
【００８９】
接続管理器７０２は、接続のゾーンタイプ、サービスタイプ及びＭＳＣレベルを決定する。すなわち、接続管理器７０２は、各接続に対応する端末の特性及びサービスの特性によって、各接続のゾーンタイプ、サービスタイプ及びＭＣＳレベルを決定する。そして、接続管理器７０２は、各サービスクラス別に送信するデータバーストに対する接続別優先順位を決定するキュースケジューリングを行う。特に、接続選択器７０６から接続の変更が指示される場合、接続管理器７０２は、指示された接続のゾーンをスイッチングし、指示された接続のサービスタイプ及びＭＣＳレベルを調節する。優先順位決定器７０４は、キュースケジューリングに応じるデータバースト間の優先順位に基づいて接続間の優先順位を決定する。これにより、現在副フレームにおいて資源が割り当てられる接続が順次決定される。
【００９０】
接続選択器７０６は、優先順位決定器７０４により決定された接続間の優先順位に応じてマップのサイズ推定時に考慮する接続を順次選択する。すなわち、接続選択器７０６は、高い優先順位を有する接続を選択し、選択された接続のゾーンタイプ、サービスタイプ、ＭＣＳレベル、送信データ量などの情報を資源現況計算器７０８に提供する。そして、推定完了判断器７１０から接続の再選択が指示されると、接続選択器７０６は、次の優先順位を有する接続を選択する。また、推定完了判断器７１０から接続の変更が指示されると、接続選択器７０６は、接続の変更のための情報を接続管理器７０２に提供する。
【００９１】
資源現況計算器７０８は、接続選択器７０６により選択された接続を考慮して、マップのサイズ及び剰余資源現況を計算する。詳細に説明すると、資源現況計算器７０８は、選択された接続を含む領域の総スロット個数を計算し、選択された接続を含む領域に対するダウンリンクマップＩＥ及びダウンリンクサブバーストＩＥのうち、一つの個数を更新する。そして、資源現況計算器７０８は、マップ領域の副チャネル個数、マップ領域のシンボル個数及びデータシンボル個数を計算し、非分割ゾーン及び分割ゾーンのそれぞれのデータシンボル個数及び割り当て可能な最大スロット数を計算した後、非分割ゾーン及び分割ゾーンの総スロット数を計算する。その後、資源現況計算器７０８は、分割ゾーン及び非分割ゾーンの割り当てる総スロット数及び割り当て可能な最大スロット数を推定完了判断器７１０に知らせる。万一、選択された接続を含む領域にバーストを割り当てる資源が存在しないと、資源現況計算器７０８は、剰余資源現況を計算せずに、これを推定完了判断器７１０に知らせる。また、本発明の第２の実施の形態による場合、すなわち、選択された接続を含む領域にバーストを割り当てる資源が存在しないと、資源現況計算器７０８は、選択された接続を含まない領域にバーストを割り当てる資源が存在するか否かを確認した後、これを推定完了判断器７１０に知らせる。
【００９２】
推定完了判断器７１０は、資源現況計算器７０８により計算された剰余資源現況によって、マップのサイズ推定が完了したか否かを判断する。すなわち、剰余資源が存在する場合、推定完了判断器７１０は、接続選択器７０６に接続の再選択を指示する。これに対し、剰余資源が存在しない場合、推定完了判断器７１０は、現在計算されたマップのサイズをマップのサイズの最終推定値と決定し、マップのサイズの最終推定値を出力する。また、本発明の第１の実施の形態による場合、資源現況計算器７０８から接続選択器７０６により選択された接続を含む領域にバーストを割り当てる資源が存在しないことが通知されると、推定完了判断器７１０は、現在計算されたマップのサイズをマップのサイズの最終推定値と決定する。これに対し、本発明の第２の実施の形態による場合、資源現況計算器７０８から接続選択器７０６により選択された接続を含む領域にバーストを割り当てる資源が存在しなく、選択された接続を含まない領域にバーストを割り当てる資源が存在すると通知されると、推定完了判断器７１０は、選択された接続の変更を接続選択器７０６に指示する。そして、本発明の第２の実施の形態による場合、資源現況計算器７０８から接続選択器７０６により選択された接続を含む領域にバーストを割り当てる資源が存在しなく、選択された接続を含まない領域にバーストを割り当てる資源が存在すると通知されると、推定完了判断器７１０は、現在計算されたマップのサイズをマップのサイズの最終推定値と決定する。このとき、推定完了判断器７１０は、分割ゾーン及び非分割ゾーンの割り当て可能最大スロット数及び割り当てる総スロット数を利用して、剰余資源の有無を判断する。詳細に説明すれば、分割ゾーンに割り当てる総スロット数が分割ゾーンに割り当て可能な最大スロット数より小さいか、又は非分割ゾーンに割り当てる総スロット数が非分割ゾーンに割り当て可能な最大スロット数より小さい場合、推定完了判断器７１０は、剰余資源が存在すると判断する。これに対し、分割ゾーンに割り当てる総スロット数が分割ゾーンに割り当て可能な最大スロット数より大きいか又は同じであり、同時に、非分割ゾーンに割り当てる総スロット数が非分割ゾーンに割り当て可能な最大スロット数より大きいか、又は同じである場合、推定完了判断器７１０は、剰余資源が存在しないと判断する。
【００９３】
広帯域無線通信システムにおいて分割ｎｏｎ−ＨＡＲＱデータバースト、分割ＨＡＲＱデータバースト、非分割ｎｏｎ−ＨＡＲＱデータバースト、非分割ＨＡＲＱデータバーストを一つのフレームに同時に割り当てる際、一つのフレームに割り当てられるマップのサイズ及びデータバーストの個数をマップのサイズ推定により予測することによって、資源を浪費せずに送信率を向上させることができる。さらに、これにより、マップのサイズがデータバーストのために必要なマップのサイズより大きくなって、資源の浪費を防止することができ、また、マップのサイズの限度によって割り当て可能なバースト個数の限度が発生して、資源の浪費を防止することができる。
【図１】
2010187378.tif 000003
【図２Ａ】
2010187378.tif 000004
【図２Ｂ】
2010187378.tif 000005
【図２Ｃ】
2010187378.tif 000006
【図３】
2010187378.tif 000007
【図４】
2010187378.tif 000008
【図５】
2010187378.tif 000009
【図６】
2010187378.tif 000010
【図７】
2010187378.tif 000011